(57)【特許請求の範囲】
【請求項１】
収容された物体を冷却する冷却室の開口に配置される扉部と、該扉部の前側に配置されたガラスパネルとを備える冷却室用扉において、
前記扉部の周縁部分に設けられており、前記ガラスパネルを支持する支持部と、
前記ガラスパネルの後面周縁部分に設けられており、前記ガラスパネルを前記支持部に取り外し可能に取り付ける取付部と
を備え、
前記支持部は、後側部分が前側部分よりも内方に位置するような階段形をなす後部を有し、
前記取付部は、
前記ガラスパネルの周縁部分に固定された固定部と、
該固定部から後方に延びる周縁部と、
該周縁部の後縁部から内側に突出する連結板と
を有し、
前記支持部の前記後部の後面と前記取付部の前記連結板とが取り外し可能な連結部材によって連結されていることを特徴とする冷却室用扉。
【請求項２】
前記扉部及び前記ガラスパネルの間には断熱材が充填され、
前記断熱材は前記支持部に結合しており、
前記支持部と前記取付部との間に空間が形成されること
を特徴とする請求項１に記載の冷却室用扉。
【請求項３】
前記空間内に第２断熱材が設けられていること
を特徴とする請求項２に記載の冷却室用扉。
【請求項４】
収容された物体を冷却する冷却室の開口に配置される扉部と、該扉部の前側に配置されたガラスパネルとを備える冷却室用扉において、
前記扉部の前部分に設けられており、前記ガラスパネルを支持する支持部と、
前記ガラスパネルの後面に設けられており、前記ガラスパネルを前記支持部に取り外し可能に取り付ける取付部と
を備え、
前記支持部は、
前記扉部の前面を覆う被覆部と、
該被覆部の前部に設けてある凹部と
を有し、
前記凹部は、下向きに窪んでおり、前記取付部を挿入する挿入部を有し、
前記取付部が前記挿入部に挿入されることで、前記ガラスパネルが前記扉部に取り付けられ、
前記ガラスパネルの上方向への移動を阻止するための阻止部が、前記扉部の上側に、取り外し可能な連結部材によって固定されていること
を特徴とする冷却室用扉。
【請求項５】
前記ガラスパネルの下側に位置し、前記被覆部の下部から前方に突出した突起部を備えること
を特徴とする請求項４に記載の冷却室用扉。
【発明の詳細な説明】
【技術分野】
【０００１】
本発明は、物体を冷却する冷却室を開閉する冷却室用扉に関する。
【背景技術】
【０００２】
冷蔵庫は台所を占有する割合が大きいため、外観意匠性を向上させるべく、扉外面にガラスパネルを設けた冷蔵庫が従来提供されている。ガラスパネルは枠によって支持されることがある。枠には溝が設けてあり、該溝にガラスパネルの周縁部が挿入される（例えば特許文献１参照）。
【０００３】
冷蔵庫を廃棄する場合、リサイクルのために、ガラスパネルを他の部品から分離させる必要がある。枠によってガラスパネルが支持されている場合、ガラスパネルを枠の溝から外すだけで、ガラスパネルを分離させることができる。
【先行技術文献】
【特許文献】
【０００４】
【特許文献１】特開２０１０−６０１９０号公報
【発明の概要】
【発明が解決しようとする課題】
【０００５】
近年では、更なる外観意匠性の向上のため、枠を使用せずに、ガラスパネルを接着剤によって扉外面に固定した冷蔵庫が提供されている。接着剤は、ガラスパネルの落下を防止すべく、強力な粘着性を有しているので、ガラスパネルを扉から剥がすことは難しい。
【０００６】
本発明は斯かる事情に鑑みてなされたものであり、外観意匠性を維持し、ガラスパネルを取り外し易い冷却室用扉を提供することを目的とする。
【課題を解決するための手段】
【０００７】
本発明に係る冷却室用扉は、前側に開口を有し、収容された物体を冷却する冷却室の前記開口に配置される扉部と、該扉部の前側に配置されたガラスパネルとを備える冷却室用扉において、前記扉部の前部分に設けられており、前記ガラスパネルを支持する支持部と、前記ガラスパネルの後面に設けられており、前記ガラスパネルを前記支持部に取り外し可能に取り付ける取付部とを備えることを特徴とする。
【０００８】
本発明に係る冷却室用扉は、前記支持部は枠形をなし、前記扉部の周縁部分に設けられており、前記取付部は、枠形をなし、前記ガラスパネルの周縁部分に固定された固定部と、該固定部から後方に突出し、前記支持部の後部に対向する対向部とを有し、前記対向部と前記支持部の後部とが取り外し可能な連結部材によって連結されていることを特徴とする。
【０００９】
本発明に係る冷却室用扉は、前記支持部は、前記扉部の前面を覆う被覆部と、該被覆部の前部に設けてある凹部とを有し、前記取付部は前記凹部に挿入されていることを特徴とする。
【００１０】
本発明に係る冷却室用扉は、前記ガラスパネルの下側に位置し、前記被覆部の下部から前方に突出した突起部を備えることを特徴とする。
【００１１】
本発明に係る冷却室用扉は、前記凹部は、下向きに窪んでおり、前記取付部を挿入する挿入部を有し、前記ガラスパネルの上側に、前記ガラスパネルの上方向への移動を阻止するための阻止部が設けられていることを特徴とする。
【発明の効果】
【００１２】
本発明に係る冷却室用扉にあっては、ガラスパネルの後面に取付部が設けられており、取付部を支持部から取り外すことができるので、外観意匠性の維持及びガラスパネルの取り外しを両立させることができる。
【図面の簡単な説明】
【００１３】
【図１】実施の形態１に係る冷蔵庫を略示する正面図である。
【図２】図１に示すＩＩ−ＩＩ線を切断線とした略示断面図である。
【図３】右扉を略示する部分拡大断面図である。
【図４】実施の形態２に係る冷蔵庫の右扉を略示する部分拡大断面図である。
【図５】実施の形態３に係る冷蔵庫の右扉を略示する側面断面図である。
【図６】実施の形態４に係る冷蔵庫の右扉を略示する側面断面図である。
【図７】実施の形態５に係る冷蔵庫の取付部及び凹部を略示する部分拡大側面断面図である。
【図８】実施の形態６に係る冷蔵庫の右扉を略示する側面断面図である。
【図９】実施の形態７に係る冷蔵庫の右扉を略示する部分平面断面図である。
【図１０】実施の形態８に係る冷蔵庫の右扉を略示する部分平面断面図である。
【発明を実施するための形態】
【００１４】
（実施の形態１）
以下本発明を実施の形態１に係る冷蔵庫を示す図面に基づいて説明する。図１は冷蔵庫を略示する正面図、図２は図１に示すＩＩ−ＩＩ線を切断線とした略示断面図である。
【００１５】
冷蔵庫１は正面が開口した縦長直方体状の外箱１ａと、該外箱１ａの内側に設けてあり、正面が開口した縦長直方体状の内箱１ｂとを備える。外箱１ａ及び内箱１ｂの間には発泡断熱材１ｃ、例えばウレタン発泡材が充填されている。
【００１６】
内箱１ｂの上部及び下部夫々に略水平な上断熱壁２及び下断熱壁３が設けてある。上断熱壁２は内箱１ｂの後面及び左右側面まで延びており、内箱１ｂ内の空間を上下に区切っている。下断熱壁３の右部分は内箱１ｂの後面及び右側面まで延びており、左部分の後部には開口（図示略）が設けられている。開口によって、下断熱壁３の上下の空間は連通している。
【００１７】
内箱１ｂにおいて、上断熱壁２よりも上側の部分は収容された物体を冷蔵する冷蔵室６を形成している。冷蔵室６の室温は例えば２〜４℃程度に設定される。また下断熱壁３よりも下側の部分は収容された物体を冷凍する第１冷凍室１０を形成している。第１冷凍室１０の室温は例えば−１８℃以下になるように設定される。
【００１８】
内箱１ｂにおいて、下断熱壁３の上側に、収容された物体を冷凍する第２冷凍室２０と、氷を製造する製氷室３０とが形成されている。内箱１ｂにおいて、第２冷凍室２０及び製氷室３０は左側に配置されており、第２冷凍室２０は製氷室３０の下側に位置する。第２冷凍室２０及び製氷室３０の室温は例えば−１８℃以下になるように設定される。
【００１９】
上断熱壁２及び下断熱壁３の間において、第２冷凍室２０及び製氷室３０の右側に、野菜等の物体を冷蔵する野菜室４０が形成されている。野菜室４０の室温は例えば７〜１０℃程度に設定される。
【００２０】
冷蔵室６内の上部には複数（本実施例においては三つ）の板状の収容棚７、７、７が上下に並設してある。収容棚７は冷蔵室６の後側に位置する。冷蔵室６の底部にはチルド室８ａが設けられている。冷蔵室６の底部の前側部分に、上断熱壁２を上下に貫通しており、冷蔵室６内の空気を下方に通流させるための通流孔２ａが設けられている。
【００２１】
冷蔵室６の前側右部及び前側左部に、上下方向を回転軸方向として回動可能な右扉６ａ及び左扉６ｂが夫々設けてある。右扉６ａ及び左扉６ｂは上下に長い矩形状をなす。右扉６ａ及び左扉６ｂによって、冷蔵室６の正面開口部分は覆われる。右扉６ａ及び左扉６ｂの縁部分にはパッキンが設けてあり、右扉６ａ及び左扉６ｂは冷蔵室６の正面開口部分を気密に閉じる。
【００２２】
右扉６ａ及び左扉６ｂ夫々の後面には、物体（例えば瓶、缶又はチューブ容器入りの食品等）を収納する複数（本実施例においては三つ）の収納ポケット６ｃ、６ｃ、６ｃが設けられている。
【００２３】
第１冷凍室１０には、上側が開口した箱形の第１冷凍室ケース１１が前後に摺動可能に設けられている。第２冷凍室２０には、上側が開口した箱形の第２冷凍室ケース２１が前後に摺動可能に設けられている。
【００２４】
製氷室３０には上側が開口した箱形の製氷室ケース３１が前後に摺動可能に設けられている。野菜室４０には上側が開口した箱形の野菜室ケース４１が前後に摺動可能に設けられている。野菜室４０の底面後部に、上下に貫通しており、空気を下方に排出する排出口４０ａが設けられている。
【００２５】
第１冷凍室１０の底部後方に圧縮機５０が設けられている。圧縮機５０には凝縮器、膨張器及び冷却器（いずれも図示略）が接続されている。圧縮機５０の駆動によりイソブタン等の冷媒が循環して冷凍サイクルが運転される。これにより、冷却器が冷凍サイクルの低温側となる。
【００２６】
冷却器によって冷却された空気は、ファン（図時略）によって上方に移動し、通路（図時略）を通って、各室に分配される。
【００２７】
次に右扉６ａの構成を説明する。図３は右扉６ａを略示する部分拡大断面図である。
【００２８】
右扉６ａは、縦長矩形板状をなす扉部６０と、該扉部６０の前側に配置された縦長矩形状をなすガラスパネル６１と、縦長矩形の枠状をなし、ガラスパネル６１の後面周縁部分に設けられており、ガラスパネル６１を扉部６０に取り付ける取付部６３と、扉部６０の前面周縁部分に設けられており、ガラスパネル６１を支持する支持部６４と、ガラスパネル６１及び扉部６０の間に充填された発泡断熱材６２（例えばウレタン発泡断熱材）とを備える。
【００２９】
扉部６０の後面の縁部分に、該縁部分に沿ってドアライナー６０ａ及びドアパッキン６０ｂが設けられている。ドアパッキン６０ｂはドアライナー６０ａに隣接している。
【００３０】
取付部６３は、縦長矩形状をなし、前後方向を軸方向とした短筒形をなす周面部６３ａ（対向部）と、該周面部６３ａの前縁部から内側に突出しており、ガラスパネル６１に接着する接着板６３ｄ（固定部）と、周面部６３ａの後縁部から内側に突出しており、支持部６４に連結する連結板６３ｂとを有する。連結板６３ｂには前後に貫通した螺子用孔６３ｃが設けられている。扉部６０は連結板６３ｂの後面に対向しておらず、螺子用孔６３ｃは後方に露出している。
【００３１】
支持部６４は、後側部分が前側部分よりも内方に位置するような階段形をなす後部６４ａと、該後部６４ａの前部分から内側に突出した前部６４ｃとを備える。前部６４ｃの突出端部は前方に屈曲しており、前部６４ｃは断面Ｌ形をなす。後部６４ａの後面には凹部６４ｂが形成されている。凹部６４ｂの位置は螺子用孔６３ｃの位置に対応している。螺子用孔６３ｃにタッピング螺子６５（連結部材）が挿入され、凹部６４ｂに締結されている。タッピング螺子６５は後方に露出しており、取り外すことができる。接着板６３ｄの後面は前部６４ｃの前面に対向している。
【００３２】
接着板６３ｄの前面は、接着剤６６によってガラスパネル６１の後面縁部に接着されている。ガラスパネル６１の後面中央部分にはフィルム６７が貼着されている。該フィルム６７は、ガラスパネル６１が割れた場合に、ガラスの飛散を防止する。またフィルム６７は、発泡断熱材６２が密着しにくい素材によって構成されている。フィルム６７の素材としては、例えばポリエチレンが挙げられる。
【００３３】
発泡断熱材６２は、支持部６４及び扉部６０に結合している。なお取付部６３及び支持部６４の間に空間６８が形成されるように、取付部６３及び支持部６４は設計されている。空間６８を設けることによって、熱伝導を抑制することができる。
【００３４】
冷蔵庫１を廃棄する場合、ガラスパネル６１を他の部品から分離させる。タッピング螺子６５を凹部６４ｂから取り外すことによって、取付部６３は支持部６４から分離し、ガラスパネル６１は発泡断熱材６２から離れる。なおフィルム６７が介在しているので、発泡断熱材６２はガラスパネル６１に結合せず、ガラスパネル６１は発泡断熱材６２から離れる。
【００３５】
タッピング螺子６５を取り外すだけで、取付部６３を支持部６４から分離させることができるので、右扉６ａの外観意匠性の維持及びガラスパネル６１の取り外しを両立させることができる。
【００３６】
なお取付部６３及び支持部６４の熱伝導率は小さいことが好ましい。したがって、取付部６３及び支持部６４の間の空間６８にグラスウール、発泡断熱材又は真空断熱材等を設けてもよい。また空間６８を確保するために壁又は支柱を作成する場合、その断面積を小さくし、熱伝導率を小さくする。
【００３７】
（実施の形態２）
以下本発明を実施の形態２に係る冷蔵庫１を示す図面に基づいて説明する。図４は右扉６ａを略示する部分拡大断面図である。
【００３８】
取付部６３は、連結板６３ｂの突出端部から前方に突出した突出部６３ｅと、該突出部６３ｅの先端部分に設けられた係止爪６３ｆ（連結部材）とを備える。支持部６４は、凹部６４ｂの開口周縁部から内側に突出しており、係止爪６３ｆに係止される被係止爪６４ｄ（連結部材）を備える。係止爪６３ｆは凹部６４ｂに挿入され、被係止爪６４ｄに係止する。
【００３９】
係止爪６３ｆ及び被係止爪６４ｄの係止を解除することによって、取付部６３は支持部６４から分離し、ガラスパネル６１は発泡断熱材６２から離れるので、右扉６ａの外観意匠性の維持及びガラスパネル６１の取り外しを両立させることができる。
【００４０】
なお図４に示すように、扉部６０は連結板６３ｂの後面に対向しているが、連結板６３ｂの後面に対向しないように扉部６０を構成してもよい。
【００４１】
実施の形態２に係る構成の内、実施の形態１と同様な構成については同じ符号を付し、その詳細な説明を省略する。
【００４２】
（実施の形態３）
以下本発明を実施の形態３に係る冷蔵庫１を示す図面に基づいて説明する。図５は右扉６ａを略示する側面断面図である。支持部６４は、後側が開口した縦長矩形の箱状をなし、扉部６０の前面に設けられている。支持部６４は、扉部６０の正面を覆う被覆部６４ｅと、該被覆部６４ｅの周縁から後方に突出した周面部６４ｈとを備える。扉部６０及び支持部６４の間には、発泡断熱材６２が充填されている。
【００４３】
被覆部６４ｅには、複数の凹部６４ｆ、６４ｆ、・・・、６４ｆが上下に並設されている。該凹部６４ｆの下部分は、下向きに窪んでおり、後述する取付部６３を挿入する挿入下部６４ｇを形成している。挿入下部６４ｇの下底は凹部６４ｆの開口６４ｉよりも下側に位置している。
【００４４】
ガラスパネル６１の後面に複数の取付部６３、６３、・・・、６３が上下に並設されている。取付部６３の位置は凹部６４ｆの位置に対応している。取付部６３は側面視クランク形をなす。
【００４５】
取付部６３は、ガラスパネル６１に接着する接着板６３ｄと、該接着板６３ｄよりも後方に位置し且つ下方に延びた嵌合板６３ｇと、該嵌合板６３ｇの上端部及び接着板６３ｄの下端部を連結する連結部６３ｈとを備える。
【００４６】
接着板６３ｄは接着剤６６によって、ガラスパネル６１に接着している。嵌合板６３ｇは凹部６４ｆに挿入されており、更に挿入下部６４ｇに挿入され、取り外し可能に嵌合している。
【００４７】
ガラスパネル６１を上方に引き上げることによって、取付部６３は凹部６４ｆから抜き取られ、ガラスパネル６１は支持部６４から離れるので、右扉６ａの外観意匠性の維持及びガラスパネル６１の取り外しを両立させることができる。
【００４８】
実施の形態３に係る構成の内、実施の形態１又は２と同様な構成については同じ符号を付し、その詳細な説明を省略する。
【００４９】
（実施の形態４）
以下本発明を実施の形態４に係る冷蔵庫１を示す図面に基づいて説明する。図６は右扉６ａを略示する側面断面図である。支持部６４の下端部に、前方に突出した突起板６４ｊ（突起部）が設けられている。突起板６４ｊは、ガラスパネル６１よりも下側に位置し、ガラスパネル６１の下端部を支持している。
【００５０】
扉部６０の内側に設けた収納ポケット６ｃにペットボトル等の重量物を収納した状態で、右扉６ａのハンドル部分に力を作用させた場合に、扉部６０がねじれて、ガラスパネル６１が支持部６４から剥離する可能性がある。接着剤６６によっては、温度が高くなると、接着性が低下するので、高温環境下において、ガラスパネル６１が剥離する可能性が高まる。
【００５１】
突起板６４ｊはガラスパネル６１を支持しているので、支持部６４によるガラスパネル６１の保持力が高められており、ガラスパネル６１の剥離及び脱落を防止し、安全性を高めることができる。
【００５２】
実施の形態４に係る構成の内、実施の形態１〜３と同様な構成については同じ符号を付し、その詳細な説明を省略する。
【００５３】
（実施の形態５）
以下本発明を実施の形態５に係る冷蔵庫１を示す図面に基づいて説明する。図７は取付部６３及び凹部６４ｆを略示する部分拡大側面断面図である。取付部６３は薄形の金属板で構成されている。また凹部６４ｆの下底部は開口している。嵌合板６３ｇは、開口した下底部に挿入され、発泡断熱材６２に入り込んでいる。
【００５４】
実施の形態５に係る構成の内、実施の形態１〜４と同様な構成については同じ符号を付し、その詳細な説明を省略する。
【００５５】
（実施の形態６）
以下本発明を実施の形態６に係る冷蔵庫１を示す図面に基づいて説明する。図８は右扉６ａを略示する側面断面図である。
【００５６】
支持部６４の上部にガラスパネル６１の上方向への移動を阻止するための阻止部７０が設けられている。阻止部７０は側面視クランク状をなす。阻止部７０は、支持部６４の上面に固定される固定部７１と、該固定部７１よりも上側に位置し且つガラスパネル６１の上端部に対向する対向部７２と、該対向部７２及び固定部７１を連結する連結部７３とを備える。
【００５７】
固定部７１には、上下に貫通した螺子用孔７１ａが設けられている。支持部６４の上部には、上下に貫通しており、内周面にねじ溝が形成された螺子孔６４ｋが設けられている。螺子孔６４ｋの位置と螺子用孔７１ａの位置とは対応している。螺子用孔７１ａに螺子６８が挿入され、螺子孔６４ｋに螺結している。ガラスパネル６１の上端部と対向部７２とは近接している。
【００５８】
対向部７２がガラスパネル６１に近接しているので、ガラスパネル６１は上方へ移動することができない。そのため、取付部６３が凹部６４ｆから抜け出て、ガラスパネル６１が脱落することを防止することができる。なおガラスパネル６１を取り外す場合、螺子６８を螺子孔６４ｋから取り外し、阻止部７０を支持部６４から取り外せばよい。
【００５９】
実施の形態６に係る構成の内、実施の形態１〜５と同様な構成については同じ符号を付し、その詳細な説明を省略する。
【００６０】
（実施の形態７）
以下本発明を実施の形態７を示す図面に基づいて説明する。図９は扉６ａを略示する部分平面断面図である。ガラスパネル６１の周縁部分は後方に向けて屈曲しており、取付部６３の周面部６３ａを覆う。ガラスパネル６１の周縁部分は、接着剤６６によって取付部６３の周面部６３ａに接着している。すなわち周面部６３ａは、ガラスパネル６１の周縁部分に固定された固定部を構成する。
【００６１】
ガラスパネル６１の周縁部分を後方に向けて屈曲させることによって、扉６ａの外観意匠性を向上させることができる。
【００６２】
実施の形態７に係る構成の内、実施の形態１〜６と同様な構成については同じ符号を付し、その詳細な説明を省略する。
【００６３】
（実施の形態８）
以下本発明を実施の形態８を示す図面に基づいて説明する。図１０は扉６ａを略示する部分平面断面図である。ガラスパネル６１の周縁部分は後方に向けて屈曲しており、取付部６３の外周を覆う。ガラスパネル６１の周縁部分を後方に向けて屈曲させることによって、扉６ａの外観意匠性を向上させることができる。
【００６４】
支持部６４は平面視断面Ｌ形をなし、前後に延びた第１部分６４１と、該第１部分６４１の後端部から外向きに突出した第２部分６４２とを備える。第２部分６４２はガラスパネル６１の周縁部分の端面に対向している。第２部分６４２には前後に貫通した挿入孔６４２ａが形成されている。
【００６５】
第１部分６４１、第２部分６４２及びガラスパネル６１によって囲まれた空間に取付部６３が配置されている。取付部６３は、周面部６３ａから内側に突出しており、支持部６４を固定するための固定部６３ｉを有する。固定部６３ｉの後面部に凹部６３ｊが設けられている。凹部６３ｊの位置と挿入孔６４２ａの位置とは対応している。タッピング螺子６５が挿入孔６４２ａに挿入され、凹部６３ｊに締結されている。
【００６６】
第１部分６４１及び取付部６３の間にはスペーサ６９が設けられている。スペーサ６９を設けることによって、取付部６３及び支持部６４の間に空間６８が形成され、熱伝達性を低減させることができる。
【００６７】
実施の形態８に係る構成の内、実施の形態１〜７と同様な構成については同じ符号を付し、その詳細な説明を省略する。
【００６８】
なお左扉６ｂの構成も、上述した実施の形態に係る右扉６ａと同様な構成である。また第１冷凍室ケース１１、第２冷凍室ケース２１、製氷室ケース３１及び野菜室ケース４１の正面部分を、右扉６ａと同様に構成してもよい。この場合、第１冷凍室１０、第２冷凍室２０、製氷室３０及び野菜室４０が冷却室を構成し、前記正面部分が冷却室用扉を構成する。
【００６９】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【００７０】
以上の本発明の実施の形態に関し、更に以下の事項を開示する。
【００７１】
本発明に係る冷却室用扉６ａは、前側に開口を有し、収容された物体を冷却する冷却室６の前記開口に配置される扉部６０と、該扉部６０の前側に配置されたガラスパネル６１とを備える冷却室用扉６ａにおいて、前記扉部６０の前部分に設けられており、前記ガラスパネル６１を支持する支持部６４と、前記ガラスパネル６１の後面に設けられており、前記ガラスパネル６１を前記支持部６４に取り外し可能に取り付ける取付部６３とを備えることを特徴とする。
【００７２】
本発明に係る冷却室用扉６ａは、前記支持部６４は枠形をなし、前記扉部６０の周縁部分に設けられており、前記取付部６３は、枠形をなし、前記ガラスパネル６１の周縁部分に固定された固定部６３ｄと、該固定部６３ｄから後方に突出し、前記支持部６４の後部に対向する対向部６３ａとを有し、前記対向部６３ａと前記支持部６４の後部とが取り外し可能な連結部材によって連結されていることを特徴とする。
【００７３】
本発明に係る冷却室用扉６ａは、前記支持部６４は、前記扉部６０の前面を覆う被覆部６４ｅと、該被覆部６４ｅの前部に設けてある凹部６４ｆとを有し、前記取付部６３は前記凹部６４ｆに挿入されていることを特徴とする。
【００７４】
本発明に係る冷却室用扉６ａは、前記ガラスパネル６１の下側に位置し、前記被覆部６４ｅの下部から前方に突出した突起部６４ｊを備えることを特徴とする。
【００７５】
本発明に係る冷却室用扉６ａは、前記凹部６４ｆは、下向きに窪んでおり、前記取付部６３を挿入する挿入下部６４ｇ（挿入部）を有し、前記ガラスパネル６１の上側に、前記ガラスパネル６１の上方向への移動を阻止するための阻止部７０が設けられていることを特徴とする。
【００７６】
本発明に係る冷却室用扉６ａは、前記ガラスパネル６１の縁部分は前記取付部６３を覆うように後方に向けて曲がっていることを特徴とする。
【００７７】
本発明に係る冷蔵庫は、上述したいずれかの冷却室用扉６ａと、該冷却室用扉６ａによって開閉される冷却室６とを備えることを特徴とする。
【符号の説明】
【００７８】
１  冷蔵庫
６  冷却室
６ａ  右扉（冷却室用扉）
６０  扉部
６１  ガラスパネル
６３  取付部
６３ａ  周面部（対向部、固定部）
６３ｄ  接着板（固定部）
６３ｆ  係止爪（連結部材）
６４  支持部
６４ｄ  被係止爪（連結部材）
６４ｅ  被覆部
６４ｆ  凹部
６４ｇ  挿入下部（挿入部）
６４ｊ  突起板（突起部）
６５  タッピングねじ（連結部材）
７０  阻止部
【図１】
0006460832.tif 000002
【図２】
0006460832.tif 000003
【図３】
0006460832.tif 000004
【図４】
0006460832.tif 000005
【図５】
0006460832.tif 000006
【図６】
0006460832.tif 000007
【図７】
0006460832.tif 000008
【図８】
0006460832.tif 000009
【図９】
0006460832.tif 000010
【図１０】
0006460832.tif 000011